(57)【要約】【課題】各種の手作業及び事務作業中において、作業記録、メモなど、筆記の必要に迫られることがある、このときより簡便な方法、手段がほしい。【解決手段】一対の面ファスナーを用い、一方の面ファスナーの裏側の先端部に筆芯（筆記具の芯、以下筆芯と言う）の一部を突出させ、更にもう一面の面ファスナー裏面とで、前記筆芯をサンドイッチ状に挟み、固着させた筆芯ホルダーと、前記ホルダーの他方の面ファスナー表面を係止保持させるために第３の面ファスナー面を表向け指輪状を形成し、指に嵌め使用するホールドバンドとで着脱自在となる利便さにより、筆記の迅速性と簡便さで手作業事務効率化を図る。                                                                【選択図】図１
2008265047.tif 000002
【特許請求の範囲】
【請求項１】
一対の面ファスナーを用い、その一方の面ファスナーの裏側の先端部に筆芯の一部を突出させ、その上側を他方の面ファスナーの裏面で覆って前記筆芯を挟み込んで固着させた筆芯ホルダーと、前記筆芯ホルダーの他方の面ファスナーの表面を係止保持させるために第３の面ファスナーを表向け指輪状に形成し指に嵌めて保持するホールドバンドとでなることを特徴とする指先筆記具。
【発明の詳細な説明】
【技術分野】
【０００１】
本発明は指先に薄平板状の筆芯ホルダーを装着した筆記具に関するものである。
【背景技術】
【０００２】
従来の指先筆記具は図２に示すごとく筆記具２１を帯バンド２２で巻き付け結合し、その結合体を人差し指１１に巻き付け固定後、筆記可能とし、非筆記時には、筆記具２１と帯バンド２２一体を人差し指１１の甲側に回わすと記載されている（特許文献１参照）。
【特許文献１】実用新案登録第３０７７３３１号
【発明の開示】
【発明が解決しようとする課題】
【０００３】
従来の筆記具指装着具には、次の様な欠点があった。
（イ）  筆記具２１と帯バンド２２とが一体であり、筆記前には筆記具先と指先との書きよい間隔調整が必要であるが、それには帯状バンド２２を弛め調整後、締めつける、煩わしい調整をしなければならない、手間と時間が掛かる。  
（ロ）  筆記待機時、筆記具２２の置き場所は、指のひら側では他の手作業の妨げになる場合が多く甲側に限定される。
（ハ）  筆記具２２は鉛筆等を使用するため、円柱形で立体的であり、不使用時においては他の手作業の妨げとなる。
（ニ）  筆記具２１の他端を利用するには帯状バンド２２の締め換えの手間と時間を必要とする。
（ホ）  常時携帯装着にするには、占有度が大きく指の自由度が奪われ不適当である。
本発明は、従来の筆記具指装着具がもつ、以上のような欠点を取り除いた、指先筆記具を提供することを目的とする。
【課題を解決するための手段】
【０００４】
一対の面ファスナーを用い、その一方の面ファスナーの裏側の先端部に筆芯１（筆記具の芯、以下筆芯と言う）の一部を突出させ、その上側を他方の面ファスナーの裏面で覆って前記筆芯を挟み込んで固着させた筆芯ホルダーと、前記筆芯ホルダーの他方の面ファスナーの表面を係止保持させるために第３の面ファスナーを表向け指輪状に形成し指に嵌めて保持するホールドバンド５とでなることを特徴とする指先筆記具で、指に嵌め必要時に着脱自在とする。
【発明の効果】
【０００５】
本発明は、以下のようなすぐれた効果を奏する。
（ａ）  両面が薄平板状面ファスナーの筆芯ホルダー４を、指に装着しているホールドバンド５に、面ファスナーの着脱作用により、指先のワンタッチで着脱自在ができるため、筆記及び筆記待機の切り替えが早く、又、簡単に最良の筆記位置への微調整ができることである。
（ｂ）  筆芯ホルダー４は、ホールドバンド５の全方向位置に装着可能であるため、ワンタッチで任意の筆記の位置、待機時の位置に装着できること。限定されない。
（ｃ）  使用部材が柔軟部材の面ファスナーが主体であり、筆芯ホルダー４は薄平板状構成であるため筆芯軸周辺方向、指周辺方向に曲げやすく、よく指にフィットし、筆芯ホルダー４が安定し、筆記がし易いこと。
（ｄ）  筆芯ホルダー４は薄平板状、小型軽量、柔軟性があるため、装着違和感、疲労感が少なく常時携帯装着が可能である。
（ｅ）  複数の筆芯ホルダー４を即座にホールドバンド５に取り替え装着することも、同時装着することもできる。
（ｆ）  筆芯ホルダー４本体を１８０度転回して他端部使用への切り替えが容易であること。
【発明を実施するための最良の形態】
【０００６】
この発明の実施例を図を参照しながら説明する。図１は一対の面ファスナー雌面９の裏側の先端部に筆芯１の一部を突出させ、もう一枚の雌面の面ファスナー９の裏面とで、前記、筆芯１をサンドイッチ状に挟み、固着させた筆芯ホルダー４である。形状は薄平板状で筆芯ホルダー４は２枚の面ファスナーとで一体を形成し、筆芯１の軸周辺方向に対しては柔軟性があり曲げることができる。
【０００７】
図３は筆芯ホルダー４を保持する指輪状のホールドバンド５ａであり、図４は巻き付け状のホールドバンド５ｂであり、この両バンドを総称してホールドバンド５とする。ホールドバンド５の表面の面ファスナーは筆芯ホルダー４と対面をなすものであり異面では接着し、同面では接着しない、従って、複数個の雄面、雌面筆芯ホルダー４がある場合の使用別分けができる利点がある。シンプルである指輪外周の任意な場所に保持でき複数個の筆芯ホルダー４の同時保持にも対応することができる。ホールドバンド５を他の指に同時に填めるのもよい。
図４は巻き付け状のホールドバンド５ｂの始端より指に巻き付け、終端を結着させるべき終端部の裏側に表面の面ファスナーと対をなす面ファスナーを張り合わせたホールドバンド５である。任意の指の太さに合わせ調整することができ任意の場所に装着できるのが利点である。
【０００８】
図５は本発明の筆記体制図である。前述の筆芯ホルダー４を親指１２と人差し指１１とで挟み筆芯ホルダーの下端を中指１３で添える形で筆記する。その前に指先と筆芯の先端との書きよい距離を調整しておく必要がある。一度調整したならば、動かさない限り不要で筆記することができる。親指を離しても筆芯ホルダーは指から落ちない。筆記しないときは図６のように人差し指との間に筆芯ホルダー４を親指又は中指で押し、引きのワンタッチで転回移動させる。この待機位置が各々の指が自由に使える最良の位置であり、他の作業の妨げにならない。常時携帯装着も可能である。
【実施例１】
【０００９】
図７は待機時の筆芯ホルダー４の便利な待機位置である。待機終了後、筆芯ホルダー４を筆芯軸方向１８０度前方転回させ筆記体制に戻る。
【実施例２】
【００１０】
図９は一枚の面ファスナーを裏側二つ折りにし、裏面同士の間に、筆芯１の先端部を突出させサンドイッチ状に挟み固着させた筆芯ホルダー４である。筆芯１の先端部を突出させる場所により図１０，図１１、図１２、図１３，図１４、図１５，図１６，図１７の各様がある。
【実施例３】
【００１１】
図１０，図１１は筆芯１が折れないように補強することと同時に、筆芯軸方向の強度補強のため添え芯７を入れた細長形と四角形筆芯ホルダー４である。
【実施例４】
【００１２】
図１２，図１３，図１４は筆芯ホルダー４の表面を雄面ファスナー４ａと雌面ファスナー４ｂとでそれぞれを構成した筆芯ホルダー４である、互いに任意な位置で結合することができ、別の新たな筆芯ホルダーを構成することができ使用範囲を広げる。図１３においては、任意の平行線、平行曲線を引くこと、筆芯の種類によりカラー字、カラー線を引くことができ又、消字のための消しゴムを筆芯ホルダーの他端に備えている。
【実施例５】
【００１３】
図１５においては筆芯ホルダー４を筆芯軸周辺方向に１８０度転回用の筆芯ホルダー４である。即ち筆芯ホルダー４の終端部にも面ファスナーの面を有し、転回してもホールドバンドから落ちない、従ってスムースに回転できる。図１６は雌形の筆芯ホルダーであリ、他の雄形の筆芯ホルダーと結合できる。図１７は線間隔一定専用の筆芯ホルダーであり、筆芯の筆記方向の角度を変えるにより任意の平行線及び定間隔曲線が容易に描ける。
【実施例６】
【００１４】
図１８は指輪状ホールドバンドを人差し指に２個装着し人差し指と中指の間に待機させた筆芯ホルダーである。筆芯ホルダー４は人差し指と中指に匿われる格好で外見上目立たないことと、２個のホールドバンド５により筆芯ホルダーは強固に保持される。ホールドバンド５を人差し指以外の指に複数入れることにより筆記の位置、待機位置を任意に選択することができる。
【実施例７】
【００１５】
図１９は筆芯ホルダー４を薄形、小型、軽量に最小限度の指のひら位までに形成した筆芯ホルダー４である。表面の面に面ファスナーの雄８、雌９を混在させ、ホールドバンド５の面ファスナーの雄８、雌９に無関係に接着できるようにしたものである。また小型軽量であるため、衣服の表面の特定場所に面ファスナーの雄８、雌９を張り付け、必要時その位置に留めておくことも便利である。
【実施例８】
【００１６】
図２０は２個の筆芯ホルダー４を結合させ、両筆芯ホルダー間の間隔を広げ同時に筆記すれば字を複写することができる。  
【実施例９】
【００１７】
図２１において、筆芯１の他端に、必要時他の筆芯１を研ぐべき筆芯削りサンドペーパー袋を備えたもので筆芯１を袋の中に入れ、親指と人差し指とで袋の両面を挟み、筆芯１を押し引き又は左右に回転し削る。他に単独の削り専用ホルダーとしてもよい。      
【図面の簡単な説明】
【００１８】
【図１】本発明の実施形態に係わる筆芯ホルダーの斜視図である
【図２】従来の実施形態の外見図である
【図３】指輪状ホルダーバンドの斜視図である
【図４】巻き付け状ホルダーバンドの斜視図である
【図５】筆記状態全体の斜視図である
【図６】筆芯ホルダーの待機位置の斜視図である。
【図７】筆芯ホルダーの待機位置の斜視図である。
【図８】巻き付け状ホルダーバンドの指装着の斜視図である。
【図９】筆芯ホルダー構成の斜視図である。
【図１０】面形添え芯入りの筆芯ホルダーの斜視図である。
【図１１】長形添え芯入りの筆芯ホルダーの斜視図である。
【図１２】大小２個、消しゴム入りの筆芯ホルダー結合の斜視図である。
【図１３】２個の筆芯ホルダーの平行結合の斜視図である。
【図１４】大小２個の筆芯ホルダーの斜視図である。
【図１５】雄形の筆芯ホルダーの斜視図である。
【図１６】雌形の筆芯ホルダーの斜視図である。
【図１７】筆芯２本入りの筆芯ホルダーの斜視図である。
【図１８】人差し指に２個の指輪型ホールドバンドで中指に挟んだ斜視図である。
【図１９】小型軽量雌雄両面混在の面ファスナー保有の筆芯ホルダーの斜視図である。
【図２０】雌雄２個の筆芯ホルダーを結合した筆芯ホルダーの斜視図である。
【図２１】筆芯を研ぐサンドペーパー袋保有の筆芯ホルダー説明の斜視図である。
【符号の説明】
【００１９】
１  筆芯
２  面ファスナー
３  面ファスナー      
４  筆芯ホルダー 
４ａ  面ファスナー雄面筆芯ホルダー
４ｂ  面ファスナー雌面筆芯ホルダー
５  ホールドバンド
５ａ  指輪状面ファスナー
５ｂ  巻き付け状面ファスナー
６  巻き付け状ホールドバンド裏面
７  添え芯
８  面ファスナー雄面
９  面ファスナー雌面
１１  人差し指
１２  親指
１３  中指
１４ａ  指輪状ホールドバンド
１４ｂ  巻き付け状ホールドバンド
１５  消しゴム
１６  サンドペーバー袋
２１  筆記具
２２  帯バンド
【図１】
2008265047.tif 000003
【図２】
2008265047.tif 000004
【図３】
2008265047.tif 000005
【図４】
2008265047.tif 000006
【図５】
2008265047.tif 000007
【図６】
2008265047.tif 000008
【図７】
2008265047.tif 000009
【図８】
2008265047.tif 000010
【図９】
2008265047.tif 000011
【図１０】
2008265047.tif 000012
【図１１】
2008265047.tif 000013
【図１２】
2008265047.tif 000014
【図１３】
2008265047.tif 000015
【図１４】
2008265047.tif 000016
【図１５】
2008265047.tif 000017
【図１６】
2008265047.tif 000018
【図１７】
2008265047.tif 000019
【図１８】
2008265047.tif 000020
【図１９】
2008265047.tif 000021
【図２０】
2008265047.tif 000022
【図２１】
2008265047.tif 000023